(57)【要約】【課題】キッチンの施工手順にかかわりなく、吊戸棚との調和を損なうことなく幕板を取り付けることができるレンジフードを提供することを目的とする。【解決手段】レンジフード本体１の上面前部に設けられ、レンジフード本体１の上方を覆い隠す幕板４に、幕板４を天井１０に固定する固定手段を設けることにより、キッチンの施工時に吊戸棚３が設置されていなくても、幕板４は天井１０に固定することができ、しかも、幕板４の固定はキッチンの天井１０に対してなされるので、その取付状態は安定し、幕板４は吊戸棚３との調和を損なうことがない。【選択図】図１
2010101529.tif 000002
【特許請求の範囲】
【請求項１】
調理機器の上方に設置され、下面に吸込口を有し、調理時に発生する水蒸気や油煙を室外に排出する送風機を備えたレンジフード本体と、前記レンジフード本体の上面前部に設けられ前記レンジフード本体の上方を覆い隠す幕板とからなり、前記幕板には前記幕板を天井に固定する固定手段が設けられたことを特徴とするレンジフード。
【請求項２】
固定手段は、幕板の前面上部に形成され固定ねじを通過させる開口と、前記幕板の天面に形成され前記幕板を前記固定ねじによって天井に固定するためのねじ用孔とからなる請求項１記載のレンジフード。
【請求項３】
固定手段は、幕板の天面に設けられ、天井との間に弾性変形して介在される弾性材からなる請求項１記載のレンジフード。
【請求項４】
固定手段は、幕板の天面に設けられ、天井との間に圧縮して介在されるスプリングからなる請求項１記載のレンジフード。
【請求項５】
固定手段は、幕板の上端角部をヒンジ状に形成して可動部を設け、前記可動部に上方へ回動して天井側へ突出する凸部を形成してなる請求項１記載のレンジフード。
【請求項６】
調理機器の上方に設置され、下面に吸込口を有し、調理時に発生する水蒸気や油煙を室外に排出する送風機を備えたレンジフード本体と、前記レンジフード本体の上面前部に設けられ前記レンジフード本体の上方を覆い隠す幕板とからなり、前記送風機を収納したファンボックスを前記レンジフード本体の上面に配設し、前記幕板と前記ファンボックスとを固定する固定手段を設けたことを特徴とするレンジフード。
【請求項７】
固定手段は、ファンボックスに設けられ、幕板に当接する雌ねじを形成した取付金具と、前記幕板の前記雌ねじに当接する位置に設けられ、前記雌ねじに固定ねじを螺入するためのねじ用孔とからなる請求項６記載のレンジフード。
【請求項８】
レンジフード本体の吸込口から捕集されずに上方に漂う油煙等を吸い込む副吸込口をファンボックスに形成するために開口する際に発生する板材から取付金具を作成する請求項７記載のレンジフード。
【請求項９】
固定手段は、ファンボックスに幕板に向いて設けられた取付金具と、前記幕板の裏面に設けられ、前記取付金具に当接して吸着するマグネットとからなる請求項６記載のレンジフード。
【請求項１０】
固定手段は、幕板の裏面に貼付したマジックテープ（登録商標）と、ファンボックスに前記幕板に向いて設けられ、前記マジックテープ（登録商標）に接着するマッジクテープを貼付した取付金具とからなる請求項６記載のレンジフード。
【発明の詳細な説明】
【技術分野】
【０００１】
本発明は、調理機器の上方の壁面に設置され、調理時に発生する水蒸気や油煙を排出するレンジフードに関する。
【背景技術】
【０００２】
従来、この種のレンジフードは、レンジフード本体の上方を覆い隠すために、レンジフード本体の上面前部に幕板を設けている（例えば、特許文献１参照）。
【０００３】
以下、そのレンジフードについて図１５および図１６を参照しながら説明する。
【０００４】
近年キッチンのデザイン性の向上が求められ、レンジフードの前方部の厚み寸法Ａの薄いものが好まれ、図に示すように、下面を開口したフード１０１の上面に、調理時に発生する油煙や蒸気を吸い込んで排出する送風機（図示せず）を内部に収納したファンボックス１０２を設けている。このファンボックス１０２には屋外に連通配管されたダクト（図示せず）が連通接続されている。
【０００５】
そして、フード１０１の側方には吊戸棚１０３が設置され、フード１０１と吊戸棚１０３との調和、および、フード１０１上方のファンボックス１０２とダクトを覆い隠す目的で、吊戸棚１０３または壁面１０４に固定された補助金具１０５によって、幕板１０６がフード１０１の上面前部に取り付けられている。
【０００６】
また、レンジフードの前方部の厚み寸法Ａを薄くすることから、幕板１０６の高さが高くなる傾向にある。
【特許文献１】特開２００６−２３４３６１号公報
【発明の開示】
【発明が解決しようとする課題】
【０００７】
近年、家庭用設備商品に対して優れたデザイン性が要求され、システムキッチンにおいても、キッチンに設置される吊戸棚と融合したデザイン性の高いレンジフードが要求される。上記従来のレンジフードでは、補助金具１０５を吊戸棚１０３または壁面１０４に固定する際に位置ずれが生じた場合、幕板１０６がずれることとなり、吊戸棚１０３との調和が損なわれる。また、補助金具１０５を固定する際に、固定ねじ１０７が吊戸棚１０３を構成する板材の厚み以上の長さの場合、突き抜けてしまうという課題があった。さらに、キッチン全体の施工手順で、レンジフードの施工が吊戸棚１０３の施工よりも早く行われることがあり、幕板１０６が取り付けられず施工ができないという課題もあった。
【０００８】
本発明は上記課題を解決するものであり、キッチンの施工手順にかかわりなく、かつ、吊戸棚との調和を損なうことなく、幕板１０６を取り付けることができ、美観的に優れたキッチンを実現することができるレンジフードを提供することを目的とする。
【課題を解決するための手段】
【０００９】
本発明のレンジフードは上記目的を達成するために、調理機器の上方に設置され、下面に吸込口を有し、調理時に発生する水蒸気や油煙を室外に排出する送風機を備えたレンジフード本体と、前記レンジフード本体の上面前部に設けられ前記レンジフード本体の上方を覆い隠す幕板とからなり、前記幕板には前記幕板を天井に固定する固定手段が設けられたものである。
【００１０】
また他の手段は、固定手段は、幕板の前面上部に形成され固定ねじを通過させる開口と、前記幕板の天面に形成され前記幕板を前記固定ねじによって天井に固定するためのねじ用孔とからなるものである。
【００１１】
また他の手段は、固定手段は、幕板の天面に設けられ、天井との間に弾性変形して介在される弾性材からなるものである。
【００１２】
また他の手段は、固定手段は、幕板の天面に設けられ、天井との間に圧縮して介在されるスプリングからなるものである。
【００１３】
また他の手段は、固定手段は、幕板の上端角部をヒンジ状に形成して可動部を設け、前記可動部に上方へ回動して天井側へ突出する凸部を形成してなるものである。
【００１４】
また他の手段は、調理機器の上方に設置され、下面に吸込口を有し、調理時に発生する水蒸気や油煙を室外に排出する送風機を備えたレンジフード本体と、前記レンジフード本体の上面前部に設けられ前記レンジフード本体の上方を覆い隠す幕板とからなり、前記送風機を収納したファンボックスを前記レンジフード本体の上面に配設し、前記幕板と前記ファンボックスとを固定する固定手段を設けたものである。
【００１５】
また他の手段は、固定手段は、ファンボックスに設けられ、幕板に当接する雌ねじを形成した取付金具と、前記幕板の前記雌ねじに当接する位置に設けられ、前記雌ねじに固定ねじを螺入するためのねじ用孔とからなるものである。
【００１６】
また他の手段は、レンジフード本体の吸込口から捕集されずに上方に漂う油煙等を吸い込む副吸込口をファンボックスに形成するために開口する際に発生する板材から取付金具を作成するものである。
【００１７】
また他の手段は、固定手段は、ファンボックスに幕板に向いて設けられた取付金具と、前記幕板の裏面に設けられ、前記取付金具に当接して吸着するマグネットとからなるものである。
【００１８】
また他の手段は、固定手段は、幕板の裏面に貼付したマジックテープ（登録商標）と、ファンボックスに前記幕板に向いて設けられ、前記マジックテープ（登録商標）に接着するマッジクテープを貼付した取付金具とからなるものである。
【発明の効果】
【００１９】
本発明によれば、キッチンの施工時に吊戸棚が設置されていなくても、幕板は幕板に設けられた固定手段によって天井に固定することができ、しかも、幕板の固定はキッチンの天井に対してなされるので、その取付状態は安定し、幕板は吊戸棚との調和を損なうことがなく、美観的に優れたキッチンを実現することができる。
【００２０】
また、レンジフード本体の上面に配設されたファンボックスと幕板を固定する固定手段によって、同様に、キッチンの施工時に吊戸棚が設置されていなくても、幕板を吊戸棚との調和を損なうことなく取り付けることができる。
【発明を実施するための最良の形態】
【００２１】
本発明の請求項１記載のレンジフードは、レンジフード本体の上面前部に設けられレンジフード本体の上方を覆い隠す幕板に、幕板を天井に固定する固定手段が設けられたものであり、キッチンの施工時、レンジフード側方に吊戸棚が設置されていなくても、幕板を吊戸棚との調和を損なうことなく固定することができる。
【００２２】
また、請求項２記載のレンジフードは、請求項１記載のレンジフードにおいて、固定手段は、幕板の前面上部に形成され固定ねじを通過させる開口と、前記幕板の天面に形成され前記幕板を前記固定ねじによって天井に固定するためのねじ用孔とからなるものであり、簡単な構成の固定手段によって容易に幕板を固定することができる。
【００２３】
また、請求項３記載のレンジフードは、請求項１記載のレンジフードにおいて、固定手段は、幕板の天面に設けられ、天井との間に弾性変形して介在される弾性材からなるものであり、弾性材を設けた幕板の上部を押し込むことで、幕板を容易に固定することができる。
【００２４】
また、請求項４記載のレンジフードは、請求項１記載のレンジフードにおいて、固定手段は、幕板の天面に設けられ、天井との間に圧縮して介在されるスプリングからなるものであり、幕板と天井との間に隙間が発生しても、幕板を確実に固定することができる。
【００２５】
また、請求項５記載のレンジフードは、請求項１記載のレンジフードにおいて、固定手段は、幕板の上端角部をヒンジ状に形成して可動部を設け、前記可動部に上方へ回動して天井側へ突出する凸部を形成してなるものであり、幕板に別部材を付加して設けなくても、幕板を固定することができる。
【００２６】
また、請求項６記載のレンジフードは、送風機を収納したファンボックスをレンジフード本体の上面に配設し、幕板とファンボックスとを固定する固定手段を設けたものであり、キッチンの施工時、レンジフード側方に吊戸棚が設置されていなくても、幕板を一定の位置に確実に固定することができる。
【００２７】
また、請求項７記載のレンジフードは、請求項６記載のレンジフードにおいて、固定手段は、ファンボックスに設けられ、幕板に当接する雌ねじを形成した取付金具と、前記幕板の前記雌ねじに当接する位置に設けられ、前記雌ねじに固定ねじを螺入するためのねじ用孔とからなるものであり、幕板をより確実に一定の位置に固定することができる。
【００２８】
また、請求項８記載のレンジフードは、請求項７記載のレンジフードにおいて、レンジフード本体の吸込口から捕集されずに上方に漂う油煙等を吸い込む副吸込口をファンボックスに形成するために開口する際に発生する板材から取付金具を作成するものであり、取付金具用の材料を用意しなくても、ファンボックスを構成する材料から有効利用することができる。
【００２９】
また、請求項９記載のレンジフードは、請求項６記載のレンジフードにおいて、固定手段は、ファンボックスに幕板に向いて設けられた取付金具と、前記幕板の裏面に設けられ、前記取付金具に当接して吸着するマグネットとからなるものであり、幕板のデザインをよりすっきりとしたデザインとすることができる。
【００３０】
また、請求項１０記載のレンジフードは、請求項６記載のレンジフードにおいて、固定手段は、幕板の裏面に貼付したマジックテープ（登録商標）と、ファンボックスに前記幕板に向いて設けられ、前記マジックテープ（登録商標）に接着するマッジクテープを貼付した取付金具とからなるものであり、幕板をより容易に固定することができる。
【００３１】
以下、本発明の実施の形態について図１〜図２０を参照しながら説明する。
【００３２】
（実施の形態１）
図１〜図３に示すように、レンジフード本体１は、下方に設置された調理機器（図示せず）から発生する油煙や水蒸気を排出する送風機（図示せず）を内部に収納したファンボックス２をその上面に配設し、送風機はレンジフード本体１の下面の吸込口（図示せず）から油煙等を吸い込み、ファンボックス２に連通接続されたダクト（図示せず）から屋外に排出する。また、レンジフード本体１の吸込口に、油煙中の油塵をキャッチするためのフィルター（図示せず）が配設されている。
【００３３】
一方、レンジフード本体１の側方には台所用品を収納できる吊戸棚３が配設される。
【００３４】
また、レンジフード本体１の上面前部に、ファンボックス２、ダクト等を覆い隠す幕板４が立設されている。幕板４には、前面上部に後述する固定ねじ５が通過する開口６と、天面にねじ用孔７とが２個ずつ、それぞれ左右に形成されている。なお、近年インテリア性が重視されてレンジフード本体１の厚みが薄くなることが好まれ、その分、幕板４の高さが高くなる傾向にある。
【００３５】
上記構成のレンジフード本体１への幕板４の固定方法について、以下に説明する。
【００３６】
図２に示すように、幕板４は、まず、その下面を幕板固定金具８とレンジフード本体１の上面との間に挟み込んで、固定ねじ９によってねじ締めすることにより、下方部を固定する。次に、固定ねじ５を幕板４の前面上部に形成した開口６を通過させ、天面のねじ用孔７から斜め上方に天井１０に向かってねじ止めし、幕板４の上方部を天井１０に固定する。
【００３７】
このように本発明の実施の形態１のレンジフードによれば、キッチン全体の施工手順において吊戸棚３の設置が後になっても、壁面にレンジフード本体１の取り付けができていれば、幕板４をキッチンの天井１０に固定して取り付けることができ、したがって、幕板４の高さが高くなっても安定した状態で取り付けることができ、その後に設置させる吊戸棚３との調和を損なうことがなくなる。また、幕板４の天井１０への固定は、幕板４に開口６とねじ用孔７を形成するだけの簡単な構成で達成できる。
【００３８】
（実施の形態２）
本発明の実施の形態２のレンジフードは、図４および図５に示すように、上記実施の形態１のレンジフードに対して、幕板４Ａの天面に、幕板４Ａ取付け時に天井１０との間に弾性変形して介在する弾性材１１を設けた点に特徴がある。
【００３９】
上記幕板４Ａにおいて、弾性材１１を設けた上部を天井１０との間に押し込むこと、弾性材１１が天井１０との間に弾性変形して介在するので、弾性材１１の復元しようとする力によって幕板４Ａの上方部が天井１０に固定された状態となる。
【００４０】
そして、上方部が固定された幕板４Ａの下方部の固定は、上記実施の形態１と同じであり、その説明は省略する。
【００４１】
このように本発明の実施の形態２のレンジフードによれば、幕板４Ａの上部を天井１０との間に押し込む簡単な作業で幕板４Ａを天井１０に固定することができ、また、幕板４Ａの固定を幕板４Ａの表面側に現れない手段で実施でき、すっきりした外観とすることができる。
【００４２】
（実施の形態３）
本発明の実施の形態３のレンジフードは、図６に示すように、上記実施の形態１のレンジフードに対して、幕板４Ｂの天面に、幕板４Ｂ取付け時に天井１０との間に圧縮されて介在するスプリング１２を設けた点に特徴がある。
【００４３】
上記幕板４Ｂにおいて、天面に設けたスプリング１２を圧縮させてレンジフード本体１と天井１０との間に配置すると、スプリング１２の復元しようとする力によって幕板４Ｂの上方部が天井１０に固定された状態となる。
【００４４】
そして、上方部が固定された幕板４Ｂの下方部の固定は、上記実施の形態１と同じであり、その説明は省略する。
【００４５】
このように本発明の実施の形態３のレンジフードによれば、スプリング１２を圧縮して幕板４Ｂをレンジフード本体１と天井１０との間に配置するだけの簡単な作業で幕板４Ｂを天井１０に固定することができ、また、幕板４Ｂと天井１０との間に隙間が発生しても、幕板４Ｂを確実に固定することができる。
【００４６】
（実施の形態４）
本発明の実施の形態４のレンジフードは、図７および図８に示すように、上記実施の形態１のレンジフードに対して、幕板４Ｃの上端角部１３をヒンジ状に形成して可動部１４を設け、可動部１４の裏面側に、可動部１４を上方へ回動して天井１０側へ突出する凸部１５を形成した点に特徴がある。
【００４７】
上記幕板４Ｃにおいて、下方部は上記実施の形態１と同様にして固定され、上方部では、可動部１４を９０°天井１０側へ回動すると、凸部１５が天井１０に食い込み、幕板４Ｃの上方部が天井１０に固定された状態となる。
【００４８】
このように本発明の実施の形態４のレンジフードによれば、幕板４Ｃの天井１０への固定手段として別部材を付加して設けなくても、幕板４Ｃを固定することができる。
【００４９】
（実施の形態５）
本発明の実施の形態５のレンジフードは、図９および図１０に示すように、上記実施の形態１のレンジフードに対して、レンジフード本体１の上面に載置されたファンボックス２に、幕板４Ｄの裏面に当接する雌ねじ１６を形成した取付金具１７を設け、幕板４Ｄの雌ねじ１６に当接する位置に、雌ねじ１６に固定ねじ１８を螺入するためのねじ用孔１９を設けた点が相違する。
【００５０】
上記構成において、下方部がレンジフード本体１に固定された状態の幕板４Ｄに対し、前方からねじ用孔１９に固定ねじ１８を入れると、ファンボックス２に設けられた取付金具１７の雌ねじ１６に螺入でき、固定ねじ１８を締め付けることにより、幕板４Ｄをファンボックス２に固定することができる。
【００５１】
このように本発明の実施の形態５のレンジフードによれば、キッチン全体の施工において吊戸棚３が設置されていなくても、幕板４Ｄは、レンジフード本体１に設けられたファンボックス２に固定することによって、一定の位置に確実に固定することができる。
【００５２】
（実施の形態６）
本発明の実施の形態６のレンジフードは、図１１および図１２に示すように、上記実施の形態５のレンジフードに対し、レンジフード本体１の吸込口から捕集されずに上方に漂う油煙等を吸い込む副吸込口２０をファンボックス２Ａに形成し、副吸込口２０を開口する際に発生する板材を幕板４Ｅの取付金具１７Ａとした点に特徴がある。
【００５３】
このように本発明の実施の形態６のレンジフードによれば、ファンボックス２Ａに副吸込口２０を形成する際に発生して廃材となる板材を、幕板４Ｅをファンボックス２Ａに固定するための取付金具１７Ａに有効利用することにより、安価な部品で幕板４Ｅを固定できる。
【００５４】
また、調理の際にレンジフード本体１で捕集できなかった油煙等が天井１０周辺に漂っても、図１２の矢印Ａで示すように、油煙等は幕板４Ｅの前面上部に形成した開口６Ａから吸い込まれ、ファンボックス２Ａの副吸込口２０に吸い込まれていき、キッチンを快適な空間とすることができる。
【００５５】
（実施の形態７）
本発明の実施の形態７のレンジフードは、図１３に示すように、上記実施の形態５のレンジフードに対し、幕板４Ｆの裏面に、取付金具１７Ｂに当接して吸着するマグネット２１を設けて、幕板４Ｆの固定手段とした点に特徴がある。
【００５６】
上記構成において、幕板４Ｆの下方部分をレンジフード本体１に固定すると、幕板４Ｆは、マグネット２１が磁力により取付金具１７Ｂに吸着して、ファンボックス２に固定されることとなる。
【００５７】
このように本発明の実施の形態７によれば、マグネット２１を設けただけの固定手段を備え、よりすっきりとしたデザインの幕板４Ｆとすることができる。
【００５８】
（実施の形態８）
本発明の実施の形態８のレンジフードは、図１４に示すように、上記実施の形態５のレンジフードに対し、幕板４Ｇの裏面にマジックテープ（登録商標）２２Ａを貼付し、取付金具１７Ｃに、マジックテープ（登録商標）２２Ａに当接して接着するように、マジックテープ（登録商標）２２Ｂを貼付して、幕板４Ｇの固定手段とした点に特徴がある。
【００５９】
上記構成において、幕板４Ｇの下方部分をレンジフード本体１に固定すると、マジックテープ（登録商標）２２Ａ、２２Ｂが接着して、幕板４Ｇはファンボックス２に固定されることとなる。
【００６０】
このように本発明の実施の形態８のレンジフードによれば、マジックテープ（登録商標）２２Ａ、２２Ｂを設けただけの固定手段を備え、よりすっきりとしたデザインで、より容易に固定することができる幕板４Ｇとすることができる。
【産業上の利用可能性】
【００６１】
本発明に係るレンジフードは、壁面に設置されたときに吊戸棚が設置されていなくても、幕板が取付けられ幕板と吊戸棚の調和を損なうことなく美観的に優れたキッチンを創出できる効果を有し、この手段はインテリア性が重視されるキッチンの壁取付用商材にも適用することができる。
【図面の簡単な説明】
【００６２】
【図１】本発明の実施の形態１のレンジフードを示す斜視図
【図２】同レンジフードの要部断面図
【図３】同レンジフードの設置正面図
【図４】本発明の実施の形態２のレンジフードを示す斜視図
【図５】同レンジフードの要部断面図
【図６】本発明の実施の形態３のレンジフードを示す斜視図
【図７】本発明の実施の形態４のレンジフードを示す斜視図
【図８】同レンジフードの要部断面図
【図９】本発明の実施の形態５のレンジフードを示す斜視図
【図１０】同レンジフードの要部断面図
【図１１】本発明の実施の形態６のレンジフードを示す斜視図
【図１２】同レンジフードの要部断面図
【図１３】本発明の実施の形態７のレンジフードを示す要部断面図
【図１４】本発明の実施の形態８のレンジフードを示す要部断面図
【図１５】従来のレンジフードの斜視図
【図１６】同レンジフードの設置を示す斜視図
【符号の説明】
【００６３】
１      レンジフード本体
２      ファンボックス
２Ａ    ファンボックス
４      幕板
４Ａ    幕板
４Ｂ    幕板
４Ｃ    幕板
４Ｄ    幕板
４Ｅ    幕板
４Ｆ    幕板
４Ｇ    幕板
５      固定ねじ
６      開口
７      ねじ用孔
１０    天井
１１    弾性材
１２    スプリング
１３    上端角部
１４    可動部
１５    凸部
１６    雌ねじ
１７    取付金具
１７Ａ  取付金具
１７Ｂ  取付金具
１７Ｃ  取付金具
１８    固定ねじ
１９    ねじ用孔
２０    副吸込口
２１    マグネット
２２Ａ  マジックテープ（登録商標）
２２Ｂ  マジックテープ（登録商標）
【図１】
2010101529.tif 000003
【図２】
2010101529.tif 000004
【図３】
2010101529.tif 000005
【図４】
2010101529.tif 000006
【図５】
2010101529.tif 000007
【図６】
2010101529.tif 000008
【図７】
2010101529.tif 000009
【図８】
2010101529.tif 000010
【図９】
2010101529.tif 000011
【図１０】
2010101529.tif 000012
【図１１】
2010101529.tif 000013
【図１２】
2010101529.tif 000014
【図１３】
2010101529.tif 000015
【図１４】
2010101529.tif 000016
【図１５】
2010101529.tif 000017
【図１６】
2010101529.tif 000018